【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
文書ファイルへの操作種別として少なくとも前記文書ファイルの派生元の文書ファイルに対する操作と他の文書ファイルの部分コンテンツからのコピーペースト操作とが区別された操作種別を取得する取得手段と、
前記取得手段により取得された前記操作種別に基づき、前記文書ファイルに関する操作シーケンスを決定する決定手段と、
前記決定手段により決定された操作シーケンスと、記憶装置に記憶されている操作シーケンスと、を照合し、照合結果に基づき、次の作業で作成する文書ファイルに関するリコメンドファイルを特定する特定手段と、
前記特定手段により特定されたリコメンドファイルを表示する表示手段と、
を有する情報処理装置。
【請求項２】
前記特定手段は、前記決定手段により決定された操作シーケンスと、記憶装置に記憶されている操作シーケンスと、の照合の結果、前記記憶装置に記憶されている操作シーケンスのうち、複数の操作シーケンスが照合結果として取得できた場合、出現頻度に基づいて、１の操作シーケンスを照合結果として選択する請求項１記載の情報処理装置。
【請求項３】
文書ファイルへの操作情報を、前記文書ファイルの派生元の文書ファイルに対する操作と他の文書ファイルの部分コンテンツからのコピーペースト操作とを区別して操作履歴として時系列に保存する保存手段と、
前記保存手段により保存された操作履歴に基づき、文書ファイルのファイル系図を構築する構築手段と、
前記構築手段により構築された文書ファイルのファイル系図に基づき、ファイル操作シーケンスを抽出する抽出手段と、
前記抽出手段で抽出された前記ファイル操作シーケンスを記憶装置に記憶する記憶手段と、
を更に有する請求項１又は２記載の情報処理装置。
【請求項４】
前記構築手段は、前記保存手段により保存された前記操作履歴に基づき、文書ファイルのファイル系図を構築し、ファイル系図に新たな枝が発生した場合、ファイル系列一覧に情報を追加し、
前記抽出手段は、前記構築手段により構築された前記ファイル系列一覧に基づき、ファイル操作シーケンスを抽出する請求項３記載の情報処理装置。
【請求項５】
前記構築手段は、前記保存手段により保存された前記操作履歴に基づき、文書ファイルの識別情報、文書ファイルへの操作が発生した発生時刻、操作種別、コピー元の情報を含むファイル系図を構築する請求項４記載の情報処理装置。
【請求項６】
前記構築手段は、前記ファイル系図に新たな枝が発生した場合、文書ファイルの識別情報と、前記文書ファイルの派生元の文書ファイルの識別情報と、派生元を辿った結果の最初に存在した大元の文書ファイルの識別情報と、を含むファイル系列一覧に情報を追加する請求項４又は５記載の情報処理装置。
【請求項７】
文書ファイルへの操作種別として少なくとも前記文書ファイルの派生元の文書ファイルに対する操作と他の文書ファイルの部分コンテンツからのコピーペースト操作とが区別された操作種別を取得する取得手段と、
前記取得手段により取得された前記操作種別に基づき、前記文書ファイルに関する操作シーケンスを決定する決定手段と、
前記決定手段により決定された操作シーケンスと、記憶装置に記憶されている操作シーケンスと、を照合し、照合結果に基づき、次の作業で作成する文書ファイルに関するリコメンドファイルを特定する特定手段と、
前記特定手段により特定されたリコメンドファイルを表示する表示手段と、
を有するシステム。
【請求項８】
前記システムには、サーバー装置と、クライアント装置と、が含まれ、
前記クライアント装置は、
前記取得手段と、
前記決定手段と、
前記表示手段と、
を有し、
前記サーバー装置は、
前記特定手段を有する請求項７記載のシステム。
【請求項９】
情報処理装置が実行する情報処理方法であって、
文書ファイルへの操作種別として少なくとも前記文書ファイルの派生元の文書ファイルに対する操作と他の文書ファイルの部分コンテンツからのコピーペースト操作とが区別された操作種別を取得する取得ステップと、
前記取得ステップにより取得された前記操作種別に基づき、前記文書ファイルに関する操作シーケンスを決定する決定ステップと、
前記決定ステップにより決定された操作シーケンスと、記憶装置に記憶されている操作シーケンスと、を照合し、照合結果に基づき、次の作業で作成する文書ファイルに関するリコメンドファイルを特定する特定ステップと、
前記特定ステップにより特定されたリコメンドファイルを表示する表示ステップと、
を含む情報処理方法。
【請求項１０】
文書ファイルへの操作情報を、前記文書ファイルの派生元の文書ファイルに対する操作と他の文書ファイルの部分コンテンツからのコピーペースト操作とを区別して操作履歴として時系列に保存する保存ステップと、
前記保存ステップにより保存された操作履歴に基づき、文書ファイルのファイル系図を構築する構築ステップと、
前記構築ステップにより構築された文書ファイルのファイル系図に基づき、ファイル操作シーケンスを抽出する抽出ステップと、
前記抽出ステップで抽出された前記ファイル操作シーケンスを記憶装置に記憶する記憶ステップと、
を更に含む請求項９記載の情報処理方法。
【請求項１１】
システムが実行する情報処理方法であって、
文書ファイルへの操作種別として少なくとも前記文書ファイルの派生元の文書ファイルに対する操作と他の文書ファイルの部分コンテンツからのコピーペースト操作とが区別された操作種別を取得する取得ステップと、
前記取得ステップにより取得された前記操作種別に基づき、前記文書ファイルに関する操作シーケンスを決定する決定ステップと、
前記決定ステップにより決定された操作シーケンスと、記憶装置に記憶されている操作シーケンスと、を照合し、照合結果に基づき、次の作業で作成する文書ファイルに関するリコメンドファイルを特定する特定ステップと、
前記特定ステップにより特定されたリコメンドファイルを表示する表示ステップと、
を含む情報処理方法。
【請求項１２】
コンピュータに、
文書ファイルへの操作種別として少なくとも前記文書ファイルの派生元の文書ファイルに対する操作と他の文書ファイルの部分コンテンツからのコピーペースト操作とが区別された操作種別を取得する取得ステップと、
前記取得ステップにより取得された前記操作種別に基づき、前記文書ファイルに関する操作シーケンスを決定する決定ステップと、
前記決定ステップにより決定された操作シーケンスと、記憶装置に記憶されている操作シーケンスと、を照合し、照合結果に基づき、次の作業で作成する文書ファイルに関するリコメンドファイルを特定する特定ステップと、
前記特定ステップにより特定されたリコメンドファイルを表示する表示ステップと、
を実行させるためのプログラム。
【請求項１３】
文書ファイルへの操作情報を、前記文書ファイルの派生元の文書ファイルに対する操作と他の文書ファイルの部分コンテンツからのコピーペースト操作とを区別して操作履歴として時系列に保存する保存ステップと、
前記保存ステップにより保存された操作履歴に基づき、文書ファイルのファイル系図を構築する構築ステップと、
前記構築ステップにより構築された文書ファイルのファイル系図に基づき、ファイル操作シーケンスを抽出する抽出ステップと、
前記抽出ステップで抽出された前記ファイル操作シーケンスを記憶装置に記憶する記憶ステップと、
を更に実行させるための請求項１２記載のプログラム。
【手続補正２】
【補正対象書類名】明細書
【補正対象項目名】０００６
【補正方法】変更
【補正の内容】
【０００６】
そこで、本発明の情報処理装置は、文書ファイルへの操作種別として少なくとも前記文書ファイルの派生元の文書ファイルに対する操作と他の文書ファイルの部分コンテンツからのコピーペースト操作とが区別された操作種別を取得する取得手段と、前記取得手段により取得された前記操作種別に基づき、前記文書ファイルに関する操作シーケンスを決定する決定手段と、前記決定手段により決定された操作シーケンスと、記憶装置に記憶されている操作シーケンスと、を照合し、照合結果に基づき、次の作業で作成する文書ファイルに関するリコメンドファイルを特定する特定手段と、前記特定手段により特定されたリコメンドファイルを表示する表示手段と、を有する。